(57)【要約】【課題】  移動端末を用いてオンラインショッピングする際の安全性の向上が図られた決済システムを提供する。【解決手段】  本発明に係る決済システム１は、決済システム１においては、携帯電話機４０から送信されてきた携帯電話機４０の電話番号を店舗サーバ３０が決済サーバ１０に転送すると、決済サーバ１０が、予め格納部２２に格納されている、該電話番号に対応するクレジットカード番号を使って与信審査端末５０に問合せをおこなう。そのため、携帯電話機４０と店舗サーバ３０との間に介在するインターネットＮＷ２には、電話番号が流れるだけであり、クレジットカード番号は流れない。そのため、クレジットカード番号が、インターネットＮＷ２上で悪意の第三者に盗まれる事態が有意に回避され、オンラインショッピングする際の安全性が有意に向上する。【選択図】  図１
2005301896.tif 000002
【特許請求の範囲】
【請求項１】
インターネットに接続された店舗サーバと、
前記インターネットと携帯電話網との間のゲートウェイに配置された決済サーバとを備え、
前記店舗サーバは、前記携帯電話網を介して前記インターネットに接続した携帯電話機から注文を受け付ける際に、前記携帯電話機から送信される該携帯電話機の電話番号を受信して、該電話番号を含む第１の決済情報を前記決済サーバに転送する転送手段を有し、
前記決済サーバは、
前記携帯電話機の電話番号と、該携帯電話機のユーザのクレジットカード番号とが互いに関連づけられて格納された格納部と、
前記店舗サーバの前記転送手段から送信された前記第１の決済情報を受信する受信手段と、
前記受信手段によって受信された前記第１の決済情報に含まれる前記電話番号に基づいて、該電話番号と関連づけられて前記格納部に格納された前記クレジットカード番号を抽出する抽出手段と、
前記抽出手段によって抽出された前記クレジットカード番号を使って、所定のクレジット会社の与信審査端末に問合せをおこなう問合せ手段と、
前記問合せ手段による問合せの結果を前記店舗サーバに送信する送信手段とを有する、決済システム。
【請求項２】
前記決済サーバの前記受信手段は、前記第１の決済情報と、前記携帯電話機から送信される該携帯電話機の電話番号を含む第２の決済情報とを受信し、
前記決済サーバは、前記受信手段が受信した前記第１の決済情報に含まれる前記電話番号と前記第２の決済情報に含まれる前記電話番号とを照合する照合手段をさらに備え、
前記抽出手段は、前記照合手段によって前記両電話番号の合致が確認された場合に、前記クレジットカード番号を前記格納部から抽出する、請求項１に記載の決済システム。
【請求項３】
前記店舗サーバは、前記携帯電話機から受け付けた注文に対応する注文ＩＤをその携帯電話機に送信する注文確認手段をさらに備えると共に、前記転送手段が前記決済サーバに転送する前記第１の決済情報には前記注文ＩＤが含まれ、
前記決済サーバの前記受信手段は、前記店舗サーバから転送される前記第１の決済情報と、前記注文ＩＤを受信した前記携帯電話機から送信される該注文ＩＤを含む前記第２の決済情報とを受信し、
前記照合手段は、前記受信手段が受信した前記第１及び第２の決済情報に含まれる前記両電話番号及び前記両注文ＩＤを照合し、
前記抽出手段は、前記照合手段による照合の結果、前記両電話番号及び前記両注文ＩＤが合致した場合に、前記クレジットカード番号を前記格納部から抽出する、請求項２に記載の決済システム。
【請求項４】
前記店舗サーバの前記注文確認手段が、前記注文ＩＤと共に、自己の店舗サーバを特定する店舗ＩＤを前記携帯電話機に送信すると共に、前記転送手段が前記決済サーバに転送する前記第１の決済情報には前記店舗ＩＤが含まれ、
前記決済サーバの前記受信手段は、前記店舗サーバから転送される前記第１の決済情報と、前記注文ＩＤ及び前記店舗ＩＤを受信した前記携帯電話機から送信される該注文ＩＤ及び該店舗ＩＤを含む前記第２の決済情報とを受信し、
前記照合手段は、前記受信手段が受信した前記第１及び第２の決済情報に含まれる前記両電話番号、前記両注文ＩＤ及び前記両店舗ＩＤを照合し、
前記抽出手段は、前記照合手段による照合の結果、前記両電話番号、前記両注文ＩＤ及び前記両店舗ＩＤが合致した場合に、前記クレジットカード番号を前記格納部から抽出する、請求項３に記載の決済システム。
【請求項５】
インターネットと携帯電話網との間のゲートウェイに配置された決済サーバであって、
前記携帯電話網を介して前記インターネットに接続した携帯電話機の電話番号と、該携帯電話機のユーザのクレジットカード番号とが互いに関連づけられて格納された格納部と、
前記インターネットに接続された店舗サーバが、前記携帯電話機から注文を受け付ける際に前記携帯電話機から受信した該携帯電話機の電話番号を、前記店舗サーバから受信する受信手段と、
前記受信手段によって受信された前記電話番号に基づいて、該電話番号と関連づけられて前記格納部に格納された前記クレジットカード番号を抽出する抽出手段と、
前記抽出手段によって抽出された前記クレジットカード番号を使って、所定のクレジットカード会社の与信審査端末に問合せをおこなう問合せ手段と、
前記問合せ手段による問合せの結果を前記店舗サーバに送信する送信手段とを有する、決済サーバ。
【発明の詳細な説明】
【技術分野】
【０００１】
本発明は、インターネット等のネットワークを利用したオンラインショッピングに利用するための決済システム及び決済サーバに関するものである。
【背景技術】
【０００２】
近年、インターネットでのオンラインショッピングが盛んにおこなわれており、その代金の支払い方法の一つにクレジットカード決済がある。このクレジットカード決済で注文する際、注文主は、自分のクレジットカード番号をショッピングサイトに送信する。
【０００３】
また、最近では携帯電話機からでもインターネットへのアクセスが可能となり、ユーザはいつでも簡単にオンラインショッピングを楽しむことができるようになった。
【特許文献１】特開２００１−３５１０３４号公報
【発明の開示】
【発明が解決しようとする課題】
【０００４】
しかしながら、前述した従来の決済システムには、次のような課題が存在している。すなわち、クレジットカード決済の際、注文主のクレジットカード番号が、不特定のユーザがアクセス自在であるインターネットを流れるため、その番号が悪意の第三者によって盗まれてしまうという問題があった。なお、上記特許文献１には、携帯電話機を使ったオンラインショッピングの決済システムが開示されている。ただし、この文献に記載の決済システムは、店舗サーバ毎にファイヤウォールという高度且つ高コストな技術を利用するため、その構築は非常に面倒であると共に困難であった。
【０００５】
そこで、本発明は、上述の課題を解決するためになされたもので、携帯電話機を用いてオンラインショッピングする際の安全性の向上が図られた決済システム及び決済サーバを提供することを目的とする。
【課題を解決するための手段】
【０００６】
本発明に係る決済システムは、インターネットに接続された店舗サーバと、インターネットと携帯電話網との間のゲートウェイに配置された決済サーバとを備え、店舗サーバは、携帯電話網を介してインターネットに接続した携帯電話機から注文を受け付ける際に、携帯電話機から送信される該携帯電話機の電話番号を受信して、該電話番号を含む第１の決済情報を決済サーバに転送する転送手段を有し、決済サーバは、携帯電話機の電話番号と、該携帯電話機のユーザのクレジットカード番号とが互いに関連づけられて格納された格納部と、店舗サーバの転送手段から送信された第１の決済情報を受信する受信手段と、受信手段によって受信された第１の決済情報に含まれる電話番号に基づいて、該電話番号と関連づけられて格納部に格納されたクレジットカード番号を抽出する抽出手段と、抽出手段によって抽出されたクレジットカード番号を使って、所定のクレジット会社の与信審査端末に問合せをおこなう問合せ手段と、問合せ手段による問合せの結果を店舗サーバに送信する送信手段とを有することを特徴とする。
【０００７】
この決済システムにおいては、店舗サーバが携帯電話機から注文を受け付ける際に受信した該携帯電話機の電話番号は、転送手段によって決済サーバに送信される。その電話番号を受信手段によって受信した決済サーバは、抽出手段によってその電話番号の携帯電話機のユーザのクレジットカード番号を格納部から抽出すると共に、抽出したクレジットカード番号を使って問合せ手段により与信審査端末に問合せをおこなう。そして、送信手段によってその問合せ結果を店舗サーバに送信する。つまり、この決済システムにおいては、携帯電話機から送信されてきた携帯電話機の電話番号を店舗サーバが決済サーバに転送すると、決済サーバが、該電話番号に対応するクレジットカード番号を使って与信審査端末に問合せをおこなう。そのため、携帯電話機と店舗サーバとの間に介在するインターネットには、電話番号が流れるだけであり、クレジットカード番号は流れない。そのため、クレジットカード番号が、インターネット上で悪意の第三者に盗まれる事態が有意に回避されており、オンラインショッピングする際の安全性が有意に向上している。
【０００８】
また、決済サーバの受信手段は、第１の決済情報と、携帯電話機から送信される該携帯電話機の電話番号を含む第２の決済情報とを受信し、決済サーバは、受信手段が受信した第１の決済情報に含まれる電話番号と第２の決済情報に含まれる電話番号とを照合する照合手段をさらに備え、抽出手段は、照合手段によって両電話番号の合致が確認された場合に、クレジットカード番号を格納部から抽出することが好ましい。この場合、第１の決済情報の電話番号と第２の決済情報の電話番号とを照合することにより、携帯電話機のユーザの本人認証がおこなわれる。その上、自己の携帯電話機を操作して、第２の決済情報の送信を制止することによって、ユーザは、決済システムにおける決済フローを中止させることもできる。そのため、誤って注文してしまった場合であっても、ユーザはその注文を取り消すことが可能である。
【０００９】
また、店舗サーバは、携帯電話機から受け付けた注文に対応する注文ＩＤをその携帯電話機に送信する注文確認手段をさらに備えると共に、転送手段が決済サーバに転送する第１の決済情報には注文ＩＤが含まれ、決済サーバの受信手段は、店舗サーバから転送される第１の決済情報と、注文ＩＤを受信した携帯電話機から送信される該注文ＩＤを含む第２の決済情報とを受信し、照合手段は、受信手段が受信した第１及び第２の決済情報に含まれる両電話番号及び両注文ＩＤを照合し、抽出手段は、照合手段による照合の結果、両電話番号及び両注文ＩＤが合致した場合に、クレジットカード番号を格納部から抽出することが好ましい。この場合、第１の決済情報と第２の決済情報との照合に、電話番号と注文ＩＤとを利用することで、電話番号のみを利用する場合に比べて、より正確に本人認証をおこなうことができる。
【００１０】
また、店舗サーバの注文確認手段が、注文ＩＤと共に、自己の店舗サーバを特定する店舗ＩＤを携帯電話機に送信すると共に、転送手段が決済サーバに転送する第１の決済情報には店舗ＩＤが含まれ、決済サーバの受信手段は、店舗サーバから転送される第１の決済情報と、注文ＩＤ及び店舗ＩＤを受信した携帯電話機から送信される該注文ＩＤ及び該店舗ＩＤを含む第２の決済情報とを受信し、照合手段は、受信手段が受信した第１及び第２の決済情報に含まれる両電話番号、両注文ＩＤ及び両店舗ＩＤを照合し、抽出手段は、照合手段による照合の結果、両電話番号、両注文ＩＤ及び両店舗ＩＤが合致した場合に、クレジットカード番号を格納部から抽出することが好ましい。この場合、第１の決済情報と第２の決済情報との照合に、電話番号と注文ＩＤと店舗ＩＤとを利用することで、電話番号のみを利用する場合や電話番号と注文ＩＤとを利用する場合に比べて、より正確に本人認証をおこなうことができる。
【００１１】
本発明に係る決済サーバは、インターネットと携帯電話網との間のゲートウェイに配置された決済サーバであって、携帯電話網を介してインターネットに接続した携帯電話機の電話番号と、該携帯電話機のユーザのクレジットカード番号とが互いに関連づけられて格納された格納部と、インターネットに接続された店舗サーバが、携帯電話機から注文を受け付ける際に携帯電話機から受信した該携帯電話機の電話番号を、店舗サーバから受信する受信手段と、受信手段によって受信された電話番号に基づいて、該電話番号と関連づけられて格納部に格納されたクレジットカード番号を抽出する抽出手段と、抽出手段によって抽出されたクレジットカード番号を使って、所定のクレジットカード会社の与信審査端末に問合せをおこなう問合せ手段と、問合せ手段による問合せの結果を店舗サーバに送信する送信手段とを有することを特徴とする。
【００１２】
この決済サーバにおいては、店舗サーバが携帯電話機から注文を受け付ける際に携帯電話機から受信した該携帯電話機の電話番号を、受信手段によって受信した決済サーバは、抽出手段によってその電話番号の携帯電話機のユーザのクレジットカード番号を格納部から抽出する。次いで、抽出したクレジットカード番号を使って問合せ手段により与信審査端末に問合せをおこなう。そして、送信手段によってその問合せ結果を店舗サーバに送信する。つまり、この決済サーバにおいては、携帯電話機から送信されてきた携帯電話機の電話番号を店舗サーバが決済サーバに転送すると、決済サーバが、該電話番号に対応するクレジットカード番号を使って与信審査端末に問合せをおこなう。そのため、携帯電話機と店舗サーバとの間に介在するインターネットには、電話番号が流れるだけであり、クレジットカード番号は流れない。そのため、クレジットカード番号が、インターネット上で悪意の第三者に盗まれる事態が有意に回避されており、オンラインショッピングする際の安全性が有意に向上している。
【発明の効果】
【００１３】
本発明によれば、移動端末を用いてオンラインショッピングする際の安全性の向上が図られた決済システム及び決済サーバが提供される。
【発明を実施するための最良の形態】
【００１４】
以下、添付図面を参照して本発明に係る決済システム及び決済サーバを実施するにあたり最良と思われる形態について詳細に説明する。なお、同一又は同等の要素については同一の符号を付し、説明が重複する場合にはその説明を省略する。
【００１５】
図１に示すように、決済システム１は、決済サーバ１０と、店舗サーバ３０とを備えている。決済サーバ１０は、携帯電話機４０の音声通話やデータ送受信に利用される携帯電話網ＮＷ１とインターネットＮＷ２との間に介在するゲ．オンラインショップサーバであり、インターネットＮＷ２に接続されている。この決済システム１においては、インターネットＮＷ２にアクセス可能な携帯電話機４０のユーザは、携帯電話機４０を用いて店舗サーバ３０にアクセスして、所望の商品やサービスを注文することができる。
【００１６】
まず、決済システム１を構成する店舗サーバ３０について説明する。
【００１７】
店舗サーバ３０は、物理的な構成要素として主に情報処理装置、記録装置、通信装置等を備えており、機能的な構成要素として転送部（転送手段）３２と注文確認部（注文確認手段）３４とを備えている。
【００１８】
転送部３２は、携帯電話機４０から店舗サーバ３０が提供する商品やサービスに関する注文を受け付けると共に、その注文を受け付ける際に携帯電話機４０から送信される該携帯電話機４０の電話番号を受信する部分である。そして、転送部３２は、受信した電話番号を含むサーバ決済情報（第１の決済情報）を決済サーバ１０に転送する。このサーバ決済情報には、上記電話番号の他、携帯電話機４０から受け付けた注文に対応する注文ＩＤと、自己の店舗サーバ３０を特定するショップＩＤ（店舗ＩＤ）が含まれている。
【００１９】
注文確認部３４は、携帯電話機４０から受け付けた注文に対応する上記注文ＩＤと、自己の店舗サーバ３０を特定する上記ショップＩＤとを携帯電話機４０に送信する部分である。
【００２０】
次に、決済システム１を構成する決済サーバ１０について説明する。
【００２１】
決済サーバ１０は、物理的な構成要素として主に情報処理装置、記録装置、通信装置等を備えており、機能的な構成要素として受信部（受信手段）１２、照合部（照合手段）１４、抽出部（抽出手段）１６、問合せ部（問合せ手段）１８、送信部（送信手段）２０、格納部２２を備えている。また、決済サーバ１０は、クレジットカード会社の与信審査端末５０に安全が確保された回線Ｌを介して接続されている。この与信審査端末５０は、クレジットカード番号を入力して問い合わせると、その番号に対応するクレジットカードの与信確認をすると共に、与信の是非を出力する端末である。
【００２２】
格納部２２には、データベース２２ａ及びデータベース２２ｂが格納されている。このデータベース２２ａには、図２（ａ）に示すようなデータが格納されている。すなわち、携帯電話網ＮＷ１に接続される各携帯電話機４０の電話番号と、各携帯電話機４０のユーザのクレジットカード番号と、そのクレジットカード番号に対応するクレジットカード会社とが互いに関連づけれた状態で格納されている。データベース２２ｂには、図２（ｂ）に示すようなデータが格納されている。すなわち、各店舗サーバ３０が特定されるショップＩＤ（店舗ＩＤ）と、その店舗サーバ３０のショップ名と、各店舗サーバ３０が取扱い可能なクレジットカード種とが互いに関連づけられた状態で格納されている。
【００２３】
受信部１２は、店舗サーバ３０の転送部３２から送信される上述したサーバ決済情報を受信する部分である。また受信部１２は、携帯電話機４０から送信されるユーザ決済情報（第２の決済情報）を受信する部分である。このユーザ決済情報には、携帯電話機４０の電話番号と、店舗サーバ３０の注文確認部３４から携帯電話機４０に送られたショップＩＤ及び注文ＩＤが含まれている。
【００２４】
照合部１４は、受信部１２が受信したサーバ決済情報とユーザ決済情報とを照合する部分である。具体的には、照合部１４は、サーバ決済情報に含まれる電話番号とユーザ決済情報に含まれる電話番号、サーバ決済情報に含まれるショップＩＤとユーザ決済情報に含まれるショップＩＤ、サーバ決済情報に含まれる注文ＩＤとユーザ決済情報に含まれる注文ＩＤをそれぞれ照合する。
【００２５】
抽出部１６は、照合部１４による照合の結果、サーバ決済情報とユーザ決済情報との電話番号、注文ＩＤ及び注文ＩＤの全てが合致した場合に、サーバ決済情報に含まれる電話番号に関連づけられて格納部２２のデータベース２２ａに格納されているクレジットカード番号を抽出する部分である。
【００２６】
問合せ部１８は、抽出部１６によって抽出されたクレジットカード番号を使って、そのクレジットカード番号に対応するクレジットカード会社の与信審査端末５０に問合せをおこなう部分である。この問合せをおこなうと、与信審査端末５０からは、そのクレジットカード番号の与信の是非が問合せ部１８に送られてくる。なお、この問合せによってクレジットカードの有効性を確認する際、適宜、上限（支払限度額）の審査要求等をおこなってもよい。
【００２７】
送信部２０は、問合せ部１８による問合せの結果を店舗サーバ３０に送信する部分である。
【００２８】
次に、決済システム１において携帯電話機４０のユーザがオンラインショッピングをおこなう手順について、図３のシーケンス図を参照しつつ説明する。
【００２９】
まず、ユーザが、携帯電話機４０から、携帯電話網ＮＷ１及びインターネットＮＷ２を介して店舗サーバ３０のサイトにアクセスし、所望の商品又はサービスを注文する（Ｓ１０）。この注文の際、携帯電話機４０の電話番号が店舗サーバ３０に送られる。電話番号を送る方法としては、所定の操作によってユーザ主導で送る方法や、ユーザに意識させることなく自動的に送る方法などがある。
【００３０】
携帯電話機４０によって注文がおこなわれると、店舗サーバ３０の注文確認部３４は、その注文に対応する注文ＩＤ及び自己の店舗サーバ３０を特定するショップＩＤを携帯電話機４０に送信する（Ｓ１２）。また、携帯電話機４０によって注文がおこなわれると、店舗サーバ３０の転送部３２は、その注文に対応する注文ＩＤと、携帯電話機４０から受信した電話番号と、自己の店舗サーバ３０を特定するショップＩＤとを含むサーバ決済情報を、決済サーバ１０に送信する（Ｓ１４）。
【００３１】
一方、店舗サーバ３０から注文ＩＤ及びショップＩＤを受信した携帯電話機４０は、これらの情報と自己の電話番号とを含むユーザ決済情報を、決済サーバ１０に送信する（Ｓ１６）。このとき、ユーザは、自己の携帯電話機４０を操作して、ユーザ決済情報の送信を制止してもよい。それにより、ユーザは、決済システム１におけるこの決済フローを中止させることができ、誤って注文してしまった場合であっても注文の取り消しをおこなうことができる。
【００３２】
店舗サーバ３０からのサーバ決済情報と携帯電話機４０からのユーザ決済情報とを決済サーバ１０の受信部１２が受信すると、照合部１４によってサーバ決済情報とユーザ決済情報とが照合される（Ｓ１８）。そして、サーバ決済情報とユーザ決済情報との電話番号、注文ＩＤ及び注文ＩＤの全てが合致した場合、抽出部１６によって、サーバ決済情報に含まれる電話番号に関連づけて格納部２２のデータベース２２ａに格納されているクレジットカード番号が抽出されると共に（Ｓ２０）、問合せ部１８によってそのクレジットカード番号を使った問合せがおこなわれる（Ｓ２２）。そして、与信審査端末５０からそのクレジットカード番号の与信の是非が問合せ部１８に送られてくると、送信部２０によって、その与信結果が店舗サーバ３０に送信される（Ｓ２４）。
【００３３】
そして、店舗サーバ３０が、この与信結果に基づいて、ユーザの携帯電話機４０に注文完了報告を送信する（Ｓ２６）。
【００３４】
以上で詳細に説明したように、決済システム１においては、店舗サーバ３０が携帯電話機４０から注文を受け付ける際に受信した携帯電話機４０の電話番号は、転送部３２によって決済サーバ１０に送信される。その電話番号を受信部１２によって受信した決済サーバ１０は、抽出部１６によってその電話番号の携帯電話機４０のユーザのクレジットカード番号を格納部２２から抽出すると共に、抽出したクレジットカード番号を使って問合せ部１８により与信審査端末５０に問合せをおこなう。そして、送信部２０によってその問合せ結果を店舗サーバ３０に送信する。
【００３５】
つまり、決済システム１においては、携帯電話機４０から送信されてきた携帯電話機４０の電話番号を店舗サーバ３０が決済サーバ１０に転送すると、決済サーバ１０が、予め格納部２２に格納されている、該電話番号に対応するクレジットカード番号を使って与信審査端末５０に問合せをおこなう。そのため、携帯電話機４０と店舗サーバ３０との間に介在するインターネットＮＷ２には、電話番号が流れるだけであり、クレジットカード番号は流れない。そのため、クレジットカード番号が、インターネットＮＷ２上で悪意の第三者に盗まれる事態が有意に回避されており、オンラインショッピングする際の安全性が有意に向上している。
【００３６】
また、この決済システム１は、高セキュリティのネットワークである携帯電話網ＮＷ１と、低セキュリティのネットワークであるインターネットＮＷ２との間のゲートウェイＧＷに、上述した決済サーバ１０を一つ設けることで容易に構築することができるため、特許文献１に記載の決済システムに比べて極めて簡易に構築することができる。
【００３７】
さらに、この決済システム１においては、決済サーバ１０の照合部１４がサーバ決済情報に含まれる情報（電話番号、注文ＩＤ、店舗ＩＤ）とユーザ決済情報に含まれる情報（電話番号、注文ＩＤ、店舗ＩＤ）とを照合することにより、携帯電話機４０のユーザの本人認証がおこなわれる。なお、この照合部１４における照合は、ユーザ決済情報及びサーバ決済情報に含まれる電話番号のみでおこなってもよく、その場合には照合に利用するデータ量が減少するため、照合を短時間で完了することができる。ただし、電話番号及び注文ＩＤを照合に利用する場合には、より正確な本人認証をおこなうことができ、電話番号、注文ＩＤ及び店舗ＩＤを照合に利用する場合には、さらに正確な本人認証をおこなうことができる。
【図面の簡単な説明】
【００３８】
【図１】本発明の実施形態に係る決済システムを示したブロック構成図である。
【図２】図１に示した決済サーバの格納部のデータベースを示した図である。
【図３】図１の決済システムにおいて携帯電話機のユーザがオンラインショッピングをおこなう手順を示したシーケンス図である。
【符号の説明】
【００３９】
１…決済システム、１０…決済サーバ、１２…受信部、１４…照合部、１６…抽出部、１８…問合せ部、２０…送信部、２２…格納部、３０…店舗サーバ、３２…転送部、３４…注文確認部、４０…携帯電話機、５０…与信審査端末、ＧＷ…ゲートウェイ、ＮＷ１…携帯電話網、ＮＷ２…インターネット。
【図１】
2005301896.tif 000003
【図２】
2005301896.tif 000004
【図３】
2005301896.tif 000005